(57)【特許請求の範囲】
【請求項１】
金属製角板の両側を内方に屈曲して係止部を形成した断面Ｃ型状のベ−ス金具と、２枚の蝶番片がその開平時に前記ベ−ス金具の係止部に防水シ−トと共に係止される大きさで各蝶番片の一側面にそれら蝶番片の開閉操作を行う操作杆を鉛直に立設した蝶番状係止部材と、前記蝶番状係止部材の蝶番片の開平時に前記２本の操作杆を固定する固定用環とから成り、トンネルの一次覆工表面と同一又は略同一面の支保工表面に前記ベ−ス金具を溶接等により固着し、該ベ−ス金具に前記蝶番状係止部材をその蝶番片を半開又は閉止した状態で防水シ−トと共に挿入して開平することにより、前記蝶番片を前記ベ−ス金具に係止し、前記２本の操作杆に固定用環を被嵌してそれら操作杆を固定するようにしたことを特徴とするトンネル用鉄筋吊り金具。
【発明の詳細な説明】
【０００１】
【産業上の利用分野】
本発明は、一次覆工に防水シ−トを貼着した後、鉄筋コンクリ−トの二次覆工を形成するトンネル工事に用いて有用な吊り鉄筋金具に関するものである。
【０００２】
トンネルの建設に際しては、完成したトンネルに防水性を持たせるため、その一次覆工の表面に防水シ−トを貼着した後、二次覆工を施工することが多く、また、二次覆工の施工に際しては、該二次覆工を鉄筋コンクリ−トで形成する場合が多い。
【０００３】
而して、二次覆工を鉄筋コンクリ−トで形成する場合、一次覆工の表面に鉄筋を固定するための鉄筋吊り金具を取付けなければならないが、一次覆工に防水シ−トを貼着し、且つ二次覆工を鉄筋コンクリ−トで形成する場合には防水性を損なわないようにするため、充分な配慮が必要とされる。
【０００４】
このような場合、従来は種々の方法が採られており、一般的には、防水シ−トに孔を明けて吊り鉄筋金具を防水シ−トから突出させるようにしているため、止水ゴム等のシ−ル材を介在させて漏水を防止するようにしているが、なお、漏水を完全に防止することは困難である。
【０００５】
そこで、防水シ−トを鉄筋を取付けたクリップ状のもので挾み込み、固定する方法も考えられた。この方法は防水シ−トに孔を明けないことから防水の信頼性は高いが、防水シ−トの展張時に該シ−トに充分弛みをつけて置かなければ固定が不可能となったり、シ−トによじれが生じるおそれもあるし、更に、金具にシ−トを挾み込む作業には多大の労力を必要とするという問題がある。
【０００６】
【発明が解決しようとする課題】
本発明は、上記のような従来技術に鑑み、一次覆工の表面に防水シ−トを貼着し、その上に二次覆工を鉄筋コンクリ−トで形成する場合に、防水シ−トに孔を明けることなく、簡易な作業で一次覆工に容易に取付けて使用することのできるトンネル用鉄筋吊り金具を提供することを、その課題とするものである。
【０００７】
【課題を解決するための手段】
上記課題を解決することを目的としてなされた本発明トンネル用鉄筋吊り金具の構成は、金属製角板の両側を内方に屈曲して係止部を形成した断面Ｃ型状のベ−ス金具と、２枚の蝶番片がその開平時に前記ベ−ス金具の係止部に防水シ−トと共に係止される大きさで各蝶番片の一側面にそれら蝶番片の開閉操作を行う操作杆を鉛直に立設した蝶番状係止部材と、前記蝶番状係止部材の蝶番片の開平時に前記２本の操作杆を固定する固定用環とから成り、トンネルの一次覆工表面と同一又は略同一面の支保工表面に前記ベ−ス金具を溶接等により固着し、該ベ−ス金具に前記蝶番状係止部材をその蝶番片を半開又は閉止した状態で防水シ−トと共に挿入して開平することにより、前記蝶番片を前記ベ−ス金具に係止し、前記２本の操作杆に固定用環を被嵌してそれら操作杆を固定するようにしたことを特徴とするものである。
【０００８】
【作用】
本発明トンネル用鉄筋吊り金具は、ベ−ス金具を一次覆工の支保工に固着し、蝶番状係止部材をその蝶番片を半開又は閉止状態にして防水シ−トと共にベ−ス金具内に挿入した後、操作杆を内方に閉じるようにして蝶番片を開平すれば、該蝶番片の開平により係止部材は防水シ−トと一体的にベ−ス金具の係止部に係止され、前記２本の操作杆は平行状態になるから、この状態でそれら操作杆に固定用環を被嵌してそれら操作杆を固定すれば、蝶番片は半開又は閉止方向に作動せずベ−ス金具に固定されるので、防水シ−トに孔を明けることなく、しかも極めて容易な作業で該シ−トを固定支持できる。また、前記２本の操作杆は二次覆工を鉄筋コンクリ−トにより形成するための鉄筋を簡易に固定することができる。
【０００９】
【実施例】
次ぎに、本発明の実施の一例を図により説明する。図１は本考案トンネル用鉄筋吊り金具の一例の平面図、図２は図１の鉄筋吊り金具を防水シ−トを介在させて支保工に取付けた状態の平断面図である。
【００１０】
図において、１は、トンネルの一次覆工５の支保工６に溶接等により固着するベ−ス金具で、角板の両側を内方に折曲して係止部１１を形成してある。
【００１１】
２は、軸２１に蝶着した２枚の蝶番片２２，２３の一側面にそれら蝶番片２２，２３の開閉操作を行う操作杆２４，２５を鉛直に立設した蝶番状係止部材で、操作杆２４，２５を外方に開けば蝶番片２２，２３は半開又は閉止状態となり、逆に操作杆２４，２５を閉じれば蝶番片２２，２３は開平されると共に操作杆２４，２５は平行状態になるように形成されている。
【００１２】
３は平行状態になった操作杆２４，２５に被嵌してそれらを固定する固定用環であり、以上により本発明トンネル用鉄筋吊り金具の一例を構成する。尚、図中、４はトンネルの一次覆工５に貼着する防水シ−トである。また、係止部材２の操作杆２４，２５はそれらの端部を屈曲部２６，２７に形成してあるが、これは防水シ−ト４の一次覆工５への貼着後、二次覆工用の鉄筋を支持しやすいようにするため、及び固定用環３の被嵌後に該固定用環３が抜けるのを防止するためであって、これら屈曲部２６，２７を形成するか否かは任意である。
【００１３】
而して、防水シ−ト４を一次覆工５の表面に貼着するには、前記ベ−ス金具１を支保工６に溶接等により固着し、該ベ−ス金具１に図１の状態の蝶番状係止部材２を、その操作杆２４，２５を操作して、図１に示すように、蝶番片２２，２３がベ−ス金具１の係止部１１，１１間に悠に挿入できるように半開状態にし、この状態で蝶番片２２，２３とベ−ス金具１との間に該防水シ−ト６を介在させ、操作杆２４，２５により防水シ−ト６を押圧しながら蝶番片２２，２３を防水シ−トと共にベ−ス金具１内に挿入した後、操作杆２４，２５を閉じれば、蝶番片２２，２３は開平してそれらの外端部がベ−ス金具１の係止部１１に防水シ−ト４と一体的に係止され、且つ操作杆２４，２５は平行状態となるから、この状態で操作杆２４，２５に固定用環３を被嵌して固定すれば、蝶番片２２，２３は開平状態を保持され、係止部材２は強固にベ−ス金具１に固定される。従って、上記作業を連続的に行うことにより、防水シ−ト４に孔を明けることなく、防水シ−ト４をトンネルの一次覆工５に貼着することができ、従来の防水シ−ト貼着作業に比して極めて簡易にその作業を行うことができる。
【００１４】
上記の手順によって、一次覆工５に防水シ−ト４を貼着し終わったら、操作杆２４，２５に二次覆工用の鉄筋を固定してコンクリ−トを打設すれば、前記一次覆工５の上に防水シ−ト４を介在させて鉄筋コンクリ−トの二次覆工を形成することができ、また、防水シ−ト６には、前述のように、孔を明けないので、出来上がったトンネルは極めて防水性の高いものとなる。
【００１５】
【発明の効果】
本発明は上述のとおりであって、トンネルの一次覆工の支保工にベ−ス金具を溶接等により固着し、該ベ−ス金具に、蝶番状係止部材をその蝶番片を半開又は閉止状態にして間に防水シ−トを介在させ支持しながら挿入した後、操作杆を閉じて蝶番片を開平し、それら蝶番片の端部を防水シ−トと一体的にベ−ス金具の係止部に係止させるようにしたから、簡易な作業で防水シ−トを一次覆工の表面に貼着できるばかりでなく、防水シ−トに孔を明けずにすむので、二次覆工を施してトンネルを形成した後のトンネルの防水性は極めて良好なものとなる。
【図面の簡単な説明】
【図１】本考案トンネル用鉄筋吊り金具の一例の平面図。
【図２】防水シ−トを介在させて支保工に取付けた状態の平面図。
【符号の説明】
１  ベ−ス金具
１１  係止部
２  蝶番状係止部材
２１  軸
２２，２３  蝶番片
２４，２５  操作杆
３  操作杆の固定用環
４  防水シ−ト
５  一次覆工
６  支保工
【図１】
0003590458.tif 000002
【図２】
0003590458.tif 000003